(57)【要約】【課題】  曝気槽より前位の槽において、有機物を微細化して微生物に浮遊物質を取り込ませ易くし、かつ、有機物の量に対して充分な微生物の数になるようにし、曝気槽において、微生物が効率的に有機物を分解できるようにして汚水の浄化処理効率を向上させ、汚泥の排出量を低減する。【解決手段】  汚水が流れ込む調整槽１０と、調整槽１０よりも後位側に設けられ調整槽１０側からの汚水に微生物処理を行なう曝気槽２０と、曝気槽２０の後位側に設けられ曝気槽で微生物処理された汚水を沈殿処理する沈殿槽３０との少なくとも３つの槽を備え、曝気槽２０より前位側にある槽において汚水を循環させる循環径路５０を設け、循環径路５０に、これを流れる汚水に磁場を付与する磁場付与装置６０を設け、循環径路５０が設けられる槽４０に沈殿槽３０に沈殿した汚泥を返送する汚泥返送径路４５を設けた。【選択図】  図１
2007244952.tif 000002
【特許請求の範囲】
【請求項１】
汚水が流れ込む調整槽と、該調整槽よりも後位側に設けられ該調整槽側からの汚水に微生物処理を行なう曝気槽と、該曝気槽の後位側に設けられ該曝気槽で微生物処理された汚水を沈殿処理する沈殿槽との少なくとも３つの槽を備えた汚水の浄化システムにおいて、
上記曝気槽より前位側にある槽において汚水を循環させる循環径路を設け、
上記循環径路に、これを流れる汚水に磁場を付与する磁場付与装置を設け、
上記循環径路が設けられる槽に上記沈殿槽に沈殿した汚泥を返送する汚泥返送径路を設けたことを特徴とする汚水の浄化システム。
【請求項２】
汚水が流れ込む調整槽と、該調整槽よりも後位側に設けられ該調整槽側からの汚水に微生物処理を行なう曝気槽と、該曝気槽の後位側に設けられ該曝気槽で微生物処理された汚水を沈殿処理する沈殿槽との少なくとも３つの槽を備えた汚水の浄化システムにおいて、
上記曝気槽より前位側にある槽の汚水を後位側の槽に送給する送給径路に、これを流れる汚水に磁場を付与する磁場付与装置を設け、
上記磁場付与装置を設けた送給径路よりも前位側の槽に上記沈殿槽に沈殿した汚泥を返送する汚泥返送径路を設けたことを特徴とする汚水の浄化システム。
【請求項３】
上記磁場付与装置を、汚水が通る通管と、該通管の外側の一つの円周上に設けられ磁場を発生する複数の電磁石からなる磁場発生部と、電磁石に電流を流す電源とを備えて構成したことを特徴とする請求項１または２記載の汚水の浄化システム。
【請求項４】
上記磁場発生部を、上記通管の軸を中心に線対称に設けられ極性が互いに異なる一対の電磁石の組を複数組設けて構成したことを特徴とする請求項３記載の汚水の浄化システム。
【請求項５】
上記一対の電磁石にパルス状の電圧を印加して該一対の電磁石によりパルス磁場を形成させるパルス電圧生成手段を備えたことを特徴とする請求項４記載の汚水の浄化システム。
【請求項６】
上記各電磁石の組を順次励磁させる順次励磁手段を設けたことを特徴とする請求項４または５記載の汚水の浄化システム。
【請求項７】
上記磁場発生部を、上記通管の軸方向に複数列設したことを特徴とする請求項３，４，５または６記載の汚水の浄化システム。
【発明の詳細な説明】
【技術分野】
【０００１】
本発明は、例えば、食品の加工工場等から排出された汚水を浄化するための汚水の浄化システムに関する。
【背景技術】
【０００２】
一般に、例えば、食品の加工工場等において、食品を加工した際に不要になって廃棄される脂質・炭水化物・タンパク質等の有機物を含有した汚水が排出されるが、このような汚水は、浄化システムを用いて、ＢＯＤ（生物化学的酸素要求量：Ｂｉｏｃｈｅｍｉｃａｌ  Ｏｘｙｇｅｎ  Ｄｅｍａｎｄ），ＳＳ（浮遊物質：Ｓｕｓｐｅｎｄｅｄ  Ｓｏｉｌｄ），ｎ−Ｈｅｘ（ｎ−ヘキサン抽出物質量）等を除去，低減する処理を行なうようにしている。
【０００３】
従来、この種の汚水の浄化システムとしては、本願出願の発明者らの研究に係るものがあり、例えば、特許文献１（特開２００５−６６４４６号公報）に記載されたものが知られている。
【０００４】
図１０に示すように、この浄化システムＳａは、食品の加工工場１等から排出された汚水が流入する調整槽２と、調整槽２の後位に設けた曝気槽３と、曝気槽３の後位に設けた沈殿槽４とを備え、調整槽２から沈殿槽４に汚水を流して、この過程で汚水を浄化処理するものである。
曝気槽３は、ブロアＢが設けられ、ブロアＢで空気を吹き込んで常在菌等の微生物により汚水中の浮遊物質等の有機物の分解を行なう。
また、沈殿槽４には、曝気槽３で処理された汚水が貯留され、汚水中の浮遊物質を集合して沈殿させて汚泥として取り出す。
【０００５】
また、この浄化システムＳａには、調整槽２の汚水に磁場を付与する磁場付与装置６が設けられている。磁場付与装置６は、調整槽２の汚水をくみ揚げるポンプ９と、このポンプ９でくみ揚げられた汚水を通過させるとともに再び調整槽２に戻す通過管７と、調整槽２の外側に設けられ汚水に磁場を付与する磁石（図示せず）とを備えてなる。図中、８は、調整槽２の汚水の水面よりも高い位置に位置した通過管７の出口に設けられ、この出口から流出した汚水を飛散させる飛散機構である。
【０００６】
この汚水の浄化システムＳａを用いて汚水を浄化処理するには、調整槽２，曝気槽３，沈殿槽４に調整槽２から順に汚水を流していく。
調整槽２においては、磁場付与装置６で汚水に磁場が付与されているので、この磁場中を汚水中の有機物等からなる浮遊物質が通過すると、磁場により微細化される。
また、調整槽２から曝気槽３に流入した汚水には、空気が吹き込まれて汚水中の有機物が好気性菌で分解されたり、空気中の酸素で酸化されたりして、汚水中のＢＯＤやＳＳの低減及び除去がなされる。そして、沈殿槽４で汚水中に分解されないで残った有機物や微生物等からなる浮遊物質を集合しこれを沈殿させるとともに、沈殿槽４の上澄みを河川５等に放流する。
沈殿槽４で沈殿した浮遊物質が集合してなる汚泥は、取り出されて図示しない脱水機等で脱水され廃棄される。
【０００７】
【特許文献１】特開２００５−６６４４６号公報
【発明の開示】
【発明が解決しようとする課題】
【０００８】
ところで、このような汚水の浄化システムＳａにあっては、調整槽２内の汚水には、汚水中の有機物の量に対する微生物の数が充分でなく、汚水中の有機物が微生物に取りこまれにくく、その後、曝気槽３に送られて空気が吹き込まれても、有機物を充分に分解するまでに時間がかかるので、汚水の浄化処理効率に劣るという問題があった。また、汚水の浄化処理効率に劣るので、汚泥が排出される量も比較的多くなり、汚泥の処理コストが高くなるという問題もあった。また、磁場付与装置６による有機物の微細化も充分でないという問題もあった。
【０００９】
本発明は上記の問題点に鑑みて為されたもので、曝気槽より前位の槽において、有機物を充分に微細化して微生物に有機物を取り込ませ易くし、かつ、有機物の量に対して充分な微生物の数になるようにし、曝気槽において、微生物が効率的に有機物を分解できるようにして汚水の浄化処理効率を向上させ、汚泥の排出量を低減した汚水の浄化システムを提供することを目的とする。
【課題を解決するための手段】
【００１０】
このような目的を達成するための本発明の汚水の浄化システムは、汚水が流れ込む調整槽と、該調整槽よりも後位側に設けられ該調整槽側からの汚水に微生物処理を行なう曝気槽と、該曝気槽の後位側に設けられ該曝気槽で微生物処理された汚水を沈殿処理する沈殿槽との少なくとも３つの槽を備えた汚水の浄化システムにおいて、上記曝気槽より前位側にある槽において汚水を循環させる循環径路を設け、上記循環径路に、これを流れる汚水に磁場を付与する磁場付与装置を設け、上記循環径路が設けられる槽に上記沈殿槽に沈殿した汚泥を返送する汚泥返送径路を設けた構成としている。
【００１１】
汚水の浄化システムを用いると、曝気槽の前位側の槽である調整槽に流れ込む。また、汚泥返送径路により、循環径路が設けられた槽に汚泥を返送する。そして、循環径路によって汚水を汚泥とともに循環させ、循環過程で汚水と汚泥とを混合していく。
【００１２】
汚水が、循環径路を通ると、磁場付与装置により磁場が付与され、有機物である浮遊物質及び汚泥が微細化されていく。これにより、浮遊物質及び汚泥が汚水中に均一に分散していく。
そしてまた、汚水中の浮遊物質が主にマイナスに、汚泥は主にプラスに電気的に帯電しているので、汚水中の浮遊物質と汚泥とが自ずと吸着していく。そのため、循環径路が設けられた槽に返送した汚泥を浮遊物質の表面にとりつかせることができる。
【００１３】
この際、汚泥を返送することで、有機物である浮遊物質の単位量あたりにとりつく微生物の数が増加しており、浮遊物質に充分な数の微生物を取りつかせることができる。また、浮遊物質は、微細化されて汚水中の浮遊物質全体の表面積が大きくなっているので、汚泥が浮遊物質の表面によく吸着する。この汚泥が吸着した浮遊物質は、主に、汚泥中の比較的大きな微生物に捕食されて分解され、小さな分子量の有機物となる。この際、微細化されているので、原生生物等の汚水に溶存していない有機物である浮遊物質の捕食を容易に行なわせることができる。
【００１４】
また、循環径路においては、汚水と汚泥がよく混合されて、磁場・微生物による浮遊物質の微細化だけでなく、微生物等が合成した酵素の働きによっても浮遊物質である有機物の微細化が行なわれる。このように、磁場の付与，酵素・微生物による分解等により、有機物である浮遊物質の微細化が更に進むと、浮遊物質は、高分子のものから低分子のものとなり、汚水に溶存し易くなる。汚水に溶存した有機物は、微生物に取り込まれていく。
【００１５】
そして、循環径路で汚水と汚泥とが充分に混合されて、汚水中の浮遊物質が充分に微細化されたならば、汚水を曝気槽側に送給する。この際、循環径路で汚水が循環させられ、汚水と汚泥とが充分に混合されているので、有機物の微細化が充分に行なわれる。
【００１６】
汚水が曝気槽の前位の槽から曝気槽に送給され、曝気槽内に空気が吹き込まれると、有機物である浮遊物質は、そのほとんどが低分子の有機物となって溶存され、微生物に取り込まれているので、微生物は、曝気槽で空気を用いるとともに取り込んだ有機物を養分として細胞分裂等により増殖していき、増殖過程で、有機物のほとんどが二酸化炭素と水になっていく。
即ち、従来は、曝気槽で曝気槽に存在する微生物でほとんどの浮遊物質の分解を行なわせているが、これに対し本発明では、曝気槽に流入する前に、予め、有機物である浮遊物質は、そのほとんどが充分に微細化されて汚水に溶存させられることで微生物が取り込みやすい大きさにされ、しかも、汚水中の浮遊物質の量に対して充分な数の微生物を添加してあるので、曝気槽に流入すると、曝気槽に吹き込まれた空気中の酸素により、速やかに分解させられるのである。そのため、微生物が効率的に有機物を分解できるようになり、汚水中のＢＯＤやＳＳ等の除去，低減が速やかに行なわれ、汚水の浄化処理効率が向上させられる。また、浄化処理効率が高いことから、処理時間の短縮化も図ることができる。また、浄化処理効率が高いことから、処理時間の短縮化も図ることができる。
また、曝気槽よりも前位の槽で微細化しきれないで残った浮遊物質は、ブロアで吹き込まれた空気の酸素を用いて分解されて微細化され、その後、上記と同様に二酸化炭素と水とに分解される。
そして、曝気槽から適時に、沈殿槽に汚水を送給する。
【００１７】
沈殿槽では、曝気槽で分解しきれないで残った浮遊物質や微生物を集合して所謂フロックとし、このフロックを沈殿させる一方、上澄みを河川等に放流していく。
この際、曝気槽で、微生物が効率的に有機物を分解でき汚水の浄化処理効率が向上しているので、沈殿する汚泥の量も少ないものとなる。
また、沈殿槽に沈殿した浮遊物質や微生物は、汚泥として汚泥返送径路を介して循環径路が設けられている槽に送られる。これにより、沈殿槽に沈殿した汚泥は、汚泥返送径路を介して循環径路を設けた槽に送ることで、曝気槽よりも前位の槽に微生物を添加する用に供されるとともに、汚泥自体が再び曝気槽に流入することになる。そのため、曝気槽で分解しきれなくて残った浮遊物質等が再び分解されるので、沈殿槽に沈殿したもののうち廃棄されるもののほとんどは、無機物のような微生物で分解できないもののみになり、廃棄される汚泥の量が非常に少なくなる。
【００１８】
また、このような目的を達成するための本発明の汚水の浄化システムは、汚水が流れ込む調整槽と、該調整槽よりも後位側に設けられ該調整槽側からの汚水に微生物処理を行なう曝気槽と、該曝気槽の後位側に設けられ該曝気槽で微生物処理された汚水を沈殿処理する沈殿槽との少なくとも３つの槽を備えた汚水の浄化システムにおいて、上記曝気槽より前位側にある槽の汚水を後位側の槽に送給する送給径路に、これを流れる汚水に磁場を付与する磁場付与装置を設け、上記磁場付与装置を設けた送給径路よりも前位側の槽に上記沈殿槽に沈殿した汚泥を返送する汚泥返送径路を設けた構成としている。
【００１９】
この汚水の浄化システムを用いると、曝気槽の前位側の槽である調整槽に流れ込む。一方、汚泥返送径路により、磁場付与装置を設けた送給径路よりも前位側の槽に汚泥を返送する。
【００２０】
汚水が、送給径路を通り、磁場付与装置により磁場が付与されると、有機物である浮遊物質及び汚泥が微細化されていく。そのため、汚水中に浮遊物質及び汚泥が分散しやすくなる。
そしてまた、曝気槽よりも前位の槽においては、汚水中の浮遊物質が主にマイナスに、汚泥は主にプラスに電気的に帯電しているので、汚水中の浮遊物質と汚泥とが自ずと吸着していく。
【００２１】
この際、磁場付与装置が設けられた送給径路よりも前位側の槽に汚泥を返送することで、浮遊物質の単位量あたりにとりつく微生物の数が増加しており、浮遊物質に充分な数の微生物を取りつかせることができる。また、浮遊物質は、磁場付与装置で微細化されるので、汚水中の浮遊物質全体の表面積が大きくなり、汚泥が浮遊物質の表面によく吸着する。この汚泥が吸着した浮遊物質は、主に、汚泥中の比較的大きな微生物に捕食されて分解され、小さな分子量の有機物となる。この際、浮遊物質は微細化されているので、原生生物等の汚水に溶存していない有機物である浮遊物質の捕食を容易に行なわせることができ、微細化を促進することができる。
【００２２】
また、磁場による浮遊物質の微細化だけでなく、磁場付与装置が設けられた送給径路よりも前位側の槽に返送した汚泥中の微生物等が合成した酵素の働きによっても有機物及び有機物である浮遊物質の微細化が行なわれる。
このように、磁場の付与，微生物による分解及び酸素の作用等により、浮遊物質の微細化が更に進むと、有機物である浮遊物質は、高分子のものから低分子のものとなり、汚水に溶存し易くなる。汚水に溶存した有機物は、微生物に取り込まれていく。
【００２３】
そして、汚水が曝気槽の前位の槽から曝気槽に送給され、曝気槽内に空気が吹き込まれると、有機物である浮遊物質は、そのほとんどが低分子の有機物になって溶存され、微生物に取り込まれているので、微生物は、曝気槽で空気を用いるとともに取り込んだ有機物を養分として細胞分裂等により増殖していき、増殖過程で、有機物のほとんどが二酸化炭素と水になっていく。
即ち、従来は、曝気槽で曝気槽に存在する微生物でほとんどの浮遊物質の分解を行なわせているが、これに対し本発明では、曝気槽に流入する前に、予め、有機物である浮遊物質は、そのほとんどが充分に微細化されて汚水に溶存させられることで微生物が取り込みやすい大きさにされ、しかも、汚水中の浮遊物質の量に対して充分な数の微生物を添加してあるので、曝気槽に流入すると、曝気槽に吹き込まれた空気中の酸素により、速やかに分解させられるのである。そのため、微生物が効率的に有機物を分解できるようになり、汚水中のＢＯＤやＳＳ等の除去，低減が速やかに行なわれ、汚水の浄化処理効率を向上させられる。また、浄化処理効率が高いことから、処理時間の短縮化も図ることができる。
また、浄化処理効率が高いことから、処理時間の短縮化も図ることができる。
更に、曝気槽よりも前位の槽で微細化しきれないで残った浮遊物質は、ブロアで吹き込まれた空気の酸素を用いて分解されて微細化され、その後、上記と同様に二酸化炭素と水とに分解される。
そして、曝気槽から適時に、沈殿槽に汚水を送給する。
【００２４】
沈殿槽では、曝気槽で分解しきれないで残った浮遊物質や微生物を集合して所謂フロックとし、このフロックを沈殿させる一方、上澄みを河川等に放流していく。
この際、曝気槽で、微生物が効率的に有機物を分解でき汚水の浄化処理効率が向上しているので、沈殿する汚泥の量も少なくなる。
また、沈殿槽に沈殿した浮遊物質や微生物は、汚泥として汚泥返送径路を介して磁場付与装置を設けた送給経路よりも前位の槽に送られる。これにより、沈殿槽に沈殿した汚泥は、磁場付与装置を設けた送給経路よりも前位の槽に送ることで、曝気槽よりも前位の槽に微生物を添加する用に供されるとともに、汚泥自体が再び曝気槽に流入することになる。そのため、曝気槽で分解しきれなくて残った浮遊物質等が再び分解されるので、沈殿槽に沈殿したもののうち廃棄されるもののほとんどは、無機物のような微生物で分解できないもののみになり、廃棄される汚泥の量が非常に少なくなる。
【００２５】
また、必要に応じ、上記磁場付与装置を、汚水が通る通管と、該通管の外側の一つの円周上に設けられ磁場を発生する複数の電磁石からなる磁場発生部と、電磁石に電流を流す電源とを備えて構成している。
これにより、有機物及び汚泥は、汚水とともに通管に形成された磁場を通過し、この磁場の刺激により有機物及び汚泥が微細化される。
また、通管の外側の一つの円周上に複数の電磁石を設けたので、磁場発生部を通過する汚水に、通管の軸周りの全周にわたって万遍なく磁場を付与することができ、有機物及び汚泥の微細化を効率的に行なわせることができる。
【００２６】
更に、必要に応じ、上記磁場発生部を、通管の軸を中心に線対称に設けられ極性が互いに異なる一対の電磁石の組を複数組設けて構成している。
これにより、磁場発生部の複数の電磁石が励磁されてなる磁場を横切るようになり、微細化を効率よく行なうことができる。
【００２７】
更にまた、必要に応じ、上記一対の電磁石にパルス状の電圧を印加して該一対の電磁石によりパルス磁場を形成させるパルス電圧生成手段を備えている。
これにより、パルス磁場が形成されているので、単に磁場を付与した場合に比較して、有機物及び汚泥への刺激が強くなり、より一層有機物及び汚泥の微細化を効率的に行なうことができる。また、微生物が合成した酵素の活性を促すことができ、活性した酵素により有機物の微細化を効率的に行なうことができる。
【００２８】
また、必要に応じ、上記各電磁石の組を順次励磁させる順次励磁手段を設けている。
これにより、汚水中の有機物及び汚泥に、磁場の方向を複雑にして付与することができ、有機物及び汚泥への刺激が強くなり、より一層有機物及び汚泥の微細化を効率的に行なうことができる。
【００２９】
更に、必要に応じ、上記磁場発生部を、上記通管の軸方向に複数列設している。
磁場発生部が複数あるので、磁場発生部が１つの場合に比較して、有機物及び汚泥の微細化を効率的に行なうことができる。
【発明の効果】
【００３０】
本発明の汚水の浄化システムによれば、循環径路に流れる汚水に磁場を付与する磁場付与装置を設け、循環径路が設けられる槽に沈殿槽に沈殿した汚泥を返送する汚泥返送径路を設けたので、磁場付与装置による磁場と、汚泥返送径路により返送された汚泥中の微生物とにより、曝気槽に流入する前に有機物である浮遊物質及び汚泥が微細化されて微生物に取り込まれやすくなるとともに、汚泥返送径路により返送された汚泥により、汚水全体の有機物の量に対して微生物が充分な数となる。そのため、曝気槽に流入し、曝気槽に空気が吹き込まれると、有機物は、空気中の酸素により、速やかに分解させられる。これにより、汚水中のＢＯＤやＳＳ等の除去，低減が速やかに行なわれ、汚水の浄化処理効率を向上させることができる。また、浄化処理効率が高いことから、処理時間の短縮化も図ることができる。また、循環径路で充分に汚水と汚泥が混合させられるので、有機物の微細化が促進せることができる。
更に、沈殿槽に沈殿した汚泥は、曝気槽の汚水の浄化処理効率が向上しているので、その量を少なくすることができる。更にまた、循環径路が設けられた槽に微生物を添加する用に供されることから、汚泥自体が再び曝気槽に流入することになる。そのため、曝気槽で分解しきれなくて残った浮遊物質等が再び分解されるので、沈殿槽に沈殿したもののうち廃棄されるもののほとんどは、無機物のような微生物で分解できないもののみになり、廃棄される汚泥の量を非常に少なくすることができる。
【００３１】
また、本発明の汚水の浄化システムによれば、曝気槽より前位側にある槽の汚水を後位側の槽に送給する送給径路に、これを流れる汚水に磁場を付与する磁場付与装置を設け、磁場付与装置を設けた送給径路よりも前位側の槽に上記沈殿槽に沈殿した汚泥を返送する汚泥返送径路を設けたので、磁場付与装置による磁場と、汚泥返送径路により返送された汚泥中の微生物とにより、曝気槽に流入する前に有機物である浮遊物質及び汚泥が微細化されて微生物に取り込まれやすくなるとともに、汚泥返送径路により返送された汚泥により、汚水全体の有機物の量に対して微生物が充分な数となる。そのため、曝気槽に流入し、曝気槽に空気が吹き込まれると、有機物は、空気中の酸素により、速やかに分解させられる。これにより、汚水中のＢＯＤやＳＳ等の除去，低減が速やかに行なわれ、汚水の浄化処理効率が向上させることができる。また、浄化処理効率が高いことから、処理時間の短縮化も図ることができる。
更に、沈殿槽に沈殿した汚泥は、磁場付与装置が設けられた送給経路よりも前位側の槽に微生物を添加する用に供されることから、汚泥自体が再び曝気槽に流入することになる。そのため、曝気槽で分解しきれなくて残った浮遊物質等が再び分解されるので、沈殿槽に沈殿したもののうち廃棄されるもののほとんどは、無機物のような微生物で分解できないもののみになり、廃棄される汚泥の量が非常に少ないものとなる。
【発明を実施するための最良の形態】
【００３２】
以下、添付図面に基づいて、本発明の実施の形態に係る汚水の浄化システムについて詳細に説明する。
【００３３】
図１には、本発明の第一の実施の形態に係る汚水の浄化システムＳ１を示している。
この汚水の浄化システムＳ１は、例えば、食品の加工工場１から排出された排水を汚水として浄化するものである。この汚水には、主に、脂質・炭水化物・タンパク質等の有機物が汚水中に溶解したり、あるいは、溶解しない有機物の集合物が浮遊物質となったりして含まれており、これらが、ＢＯＤやＳＳ等の原因になっている。
この汚水の浄化システムＳ１において、この有機物を微生物により分解させることでＢＯＤ及びＳＳ等の除去，低減を行なう。微生物は、鞭毛虫，繊毛虫，根足類等の原生生物や常在菌で構成されている。
【００３４】
具体的には、汚水の浄化システムＳ１は、汚水が流れ込む調整槽１０と、調整槽１０よりも後位側に設けられ調整槽１０側からの汚水に微生物処理を行なう曝気槽２０と、曝気槽２０の後位側に設けられ曝気槽２０で微生物処理された汚水を沈殿処理する沈殿槽３０と、調整槽１０と曝気槽２０との間に沈殿槽３０に沈殿した汚泥Ｗと調整槽１０から流入した汚泥Ｗを混合する汚泥投入槽４０とを備えてなる。この汚水の浄化システムＳ１には、その調整槽１０と汚泥投入槽４０との間，汚泥投入槽４０と曝気槽２０との間及び曝気槽２０と沈殿槽３０との間に、汚水を後位側の槽に送給する送給径路１１，２１，４１が設けられ、調整槽１０から後位側の槽に向けて順に汚水を流すことができるようになっている。
【００３５】
調整槽１０には、食品の加工工場１からの排水が汚水として流れ込む。
また、調整槽１０内には、調整槽１０と汚泥投入槽４０との間に設けられる送給径路１１に調整槽１０内の汚水をくみ揚げる吸引ポンプ１２が設けられている。
【００３６】
曝気槽２０には、曝気槽２０内の汚水に空気を吹き込むブロア２２が設けられている。この曝気槽２０においては、ブロア２２で空気を吹き込むことにより、特に、好気性菌等を活性化させて浮遊物質を分解せしめる。曝気槽２０と沈殿槽３０との間の汚水の送給径路２１は、汚水を曝気槽２０からオーバーフローさせて沈殿槽３０に流し込むようになっている。
【００３７】
沈殿槽３０は、曝気槽２０から流入した汚水中の浮遊物質を集合させて、所謂フロックとして比重を汚水よりも大きくして沈殿させ、これを汚泥Ｗとして取り出す。この沈殿した汚泥Ｗには、鞭毛虫，繊毛虫，根足類等の原生生物や常在菌等の微生物が含まれている。また、汚泥には、これらの微生物等によって合成され、微生物自身が、生命活動を行なうための養分として有機物を取り込み易いように、有機物を高分子のものから低分子のものに分解する酵素が多く含まれている。
また、沈殿槽３０からは、その上澄みが、例えば、河川５等に放流される。
【００３８】
汚泥投入槽４０には、汚泥投入槽４０と曝気槽２０との間に設けられる送給径路４１に汚泥投入槽４０内の汚水を汲み上げる吸引ポンプ４２が設けられている。
また、汚泥投入槽４０には、沈殿槽３０に沈殿した汚泥Ｗを返送する汚泥返送径路４５が設けられている。汚泥返送径路４５には、例えば、ポンプ（図示せず）が介装され、このポンプの吸引により沈殿槽３０の底部の汚泥Ｗを吸引するとともにこの汚泥Ｗを汚泥投入槽４０側に送出している。
【００３９】
更に、調整槽１０及び汚泥投入槽４０には、調整槽１０及び汚泥投入槽４０の汚水を循環させる循環径路５０が設けられている。循環径路５０は、汚泥投入槽４０と調整槽１０との間に設けられる送給径路１１と、汚泥投入槽４０の汚水を調整槽１０に返送する汚水返送径路５１とで構成されている。
汚水返送径路５１は、汚泥投入槽４０の底部に汚水の入口と調整槽１０側の出口とを有し、出口が調整槽１０に貯留された汚水の水面よりも高い位置に位置させられている。また、汚水返送径路５１には、その入口から汚泥投入槽４０の底部に設けたポンプ５２により汚水が流入させられる。更に、循環径路５０の出口には、出口から流出して調整槽１０に落下する汚水を飛散させる飛散機構５３が設けられている。
【００４０】
また、図１乃至図５に示すように、循環径路５０には、これを流れる汚水に磁場を付与する磁場付与装置６０が設けられている。詳しくは、磁場付与装置６０は、汚水が通る通管６１と、通管６１外側の一つの円周上に設けられ磁場を発生する複数の電磁石６２ａ，６２ｂ，６２ｃ，６２ｄ，６２ｅ，６２ｆからなる磁場発生部６２と、電磁石６２ａ，６２ｂ，６２ｃ，６２ｄ，６２ｅ，６２ｆに電流を流す電源６４とを備えて構成されている。
通管６１は、汚水返送径路５１の一部を構成している。
磁場発生部６２は、通管６１の軸を中心に線対称に設けられ極性が互いに異なる一対の電磁石の組（第一の電磁石の組６２ａ，６２ｂ、第二の電磁石の組６２ｃ，６２ｄ、第三の電磁石の組６２ｅ，６２ｆ）を複数組設けて構成されている。また、この磁場発生部６２の電磁石６２ａ，６２ｂ，６２ｃ，６２ｄ，６２ｅ，６２ｆは、内部に電磁石６２ａ，６２ｂ，６２ｃ，６２ｄ，６２ｅ，６２ｆへの配線が形成された基板６３に取り付けられている。実施の形態においては、一対の磁石の組を３組、略等角度関係で設けた。更に、図５に示すように、この磁場発生部６２は、管の軸方向に複数列設されている。
【００４１】
更にまた、図２及び図５に示すように、各磁場発生部６２において第一の電磁石の組６２ａ，６２ｂ、第二の電磁石の組６２ｃ，６２ｄ、第三の電磁石の組６２ｅ，６２ｆの夫々にパルス状の電圧を印加して第一の電磁石の組６２ａ，６２ｂ、第二の電磁石の組６２ｃ，６２ｄ、第三の電磁石の組６２ｅ，６２ｆによりパルス磁場を形成させるパルス電圧生成手段６５と、各磁場発生部６２において第一の電磁石の組６２ａ，６２ｂ、第二の電磁石の組６２ｃ，６２ｄ、第三の電磁石の組６２ｅ，６２ｆを順次励磁させる順次励磁手段６６とを設けた構成としている。
【００４２】
パルス電圧生成手段６５は、一定周期のパルス電圧を生成する発信回路６７と、シフトレジスタで構成されている。また、順次励磁手段６６は、シフトレジスタで構成されている。
順次励磁手段６６であるシフトレジスタは、発信回路６７のパルス電圧で作動させられ、発信回路６７の１周期毎に、各電磁石の組に順に電圧を印加している。この順次励磁手段６６によれば、例えば、図７に示すように、第１の組の電磁石６２ａ，６２ｂと、第２の組の電磁石６２ｃ，６２ｄと、第３の組の電磁石６２ｅ，６２ｆに順にパルス電圧を印加（ＯＮ），印加の解除（ＯＦＦ）を行なって各電磁石の組を励磁させる。発信回路６７によって生成されたパルス電圧は、例えば、各電磁石６２ａ，６２ｂ，６２ｃ，６２ｄ，６２ｅ，６２ｆに付与されるパルス電圧の波長λが所謂生育光線の波長λと同等のλ＝５〜２５μｍの範囲になるように、その周波数が設定されている。
また、図中、６８は、パルス電圧を適宜の電圧に増幅する増幅回路である。
【００４３】
この浄化システムＳ１を用いて汚水を浄化処理すると以下のようになる。
図１に示すように、食品の加工工場１からの汚水が調整槽１０に流れ込み、この汚水が調整槽１０中のポンプ１２でくみ揚げられ送給径路１１を通って汚泥投入槽４０に送給される。この際、食品の加工工場１からの汚水は、図７（ａ）に示すように、溶存した有機物と、溶存しない有機物の集合体である浮遊物質があり、浮遊物質の量がかなり多くなっている。
また、汚泥投入槽４０には、汚泥返送径路４５を介して汚泥Ｗが投入される。そして、循環径路５０によって調整槽１０及び汚泥投入槽４０間を、汚水とともに循環させられ、循環過程で汚水に汚泥Ｗが混合されていく（図７（ｂ））。この際、循環径路５０を循環する有機物及び汚泥Ｗは、汚水中の浮遊物質が主にマイナスに、汚泥Ｗは主にプラスに電気的に帯電しているので、汚水中の浮遊物質と汚泥Ｗとが自ずと吸着していく。これにより、汚泥Ｗが汚泥投入槽４０に投入されており、汚泥Ｗを浮遊物質の表面にとりつかせることができる（図７（ｃ））。
【００４４】
循環径路５０においては、汚水が、汚水返送径路５１の一部である通管６１を通る際に、磁場付与装置６０により磁場が付与されていく。
図７（ｄ）及び図７（ｅ）に示すように、通管６１内においては、汚水中の有機物及び汚泥Ｗは、磁場発生部６２の複数の電磁石６２ａ，６２ｂ，６２ｃ，６２ｄ，６２ｅ，６２ｆが励磁されてなる磁場を横切って、通管６１内を流れていく。そのため、有機物及び汚泥Ｗが、磁場で刺激されて微細化されていく。
この際、通管６１の外側の一つの円周上に複数の電磁石６２ａ，６２ｂ，６２ｃ，６２ｄ，６２ｅ，６２ｆを設けたので、磁場発生部６２を通過する汚水に、通管６１の軸周りの全周にわたって万遍なく磁場を付与することができ、有機物及び汚泥Ｗの微細化を効率的に行なわせることができる。
【００４５】
また、パルス電圧生成手段６５により一対の電磁石の組（第一の電磁石の組６２ａ，６２ｂ、第二の電磁石の組６２ｃ，６２ｄ、第三の電磁石の組６２ｅ，６２ｆ）でパルス磁場が形成されているので、単に磁場を付与した場合に比較して、有機物及び汚泥Ｗへの刺激が強くなり、より一層有機物及び汚泥Ｗの微細化を効率的に行なうことができる。
また、生育光線と略同等の波長のパルス磁場を付与することにより、汚泥Ｗ中の微生物を活性化させることができる。特に、汚水中の酵素の活性を促すことができる。
更に、第一の電磁石の組６２ａ，６２ｂ、第二の電磁石の組６２ｃ，６２ｄ、第三の電磁石の組６２ｅ，６２ｆを順次励磁させる順次励磁手段６６を設けたので、汚水中の有機物及び汚泥Ｗに、磁場の方向を異ならせて付与することができ、有機物及び汚泥Ｗへの刺激が強くなり、より一層有機物及び汚泥Ｗの微細化を効率的に行なうことができる。
【００４６】
また、汚泥返送径路４５で汚泥Ｗが返送されるので、浮遊物質の単位量あたりにとりつく微生物の数が増加しており、浮遊物質に充分な数の微生物を取りつかせることができる。また、浮遊物質は、微細化されて汚水中の浮遊物質全体の表面積が大きくなっているので、汚泥Ｗが浮遊物質の表面によく吸着する。この汚泥Ｗが吸着した浮遊物質は、主に、汚泥Ｗ中の比較的大きな微生物である原生生物等に捕食されて分解され、小さな分子量の有機物となる。この際、有機物は微細化されているので、原生生物等の捕食を容易に行なわせることができる。
【００４７】
また、循環径路５０においては、汚水と汚泥Ｗがよく混合されて、磁場及び微生物の補食による有機物の微細化だけでなく、微生物等が合成した酵素の働きによっても有機物の微細化が行なわれる。
また、汚水返送径路５１の出口において、汚水が調整槽１０に落下する際に飛散機構５３で飛散するので、飛散した汚水中の浮遊物質と大気中の酸素とが結合しやすくなる。そのため、曝気槽２０に至る前に、予め、調整槽１０で汚水中の微生物等が大気中の酸素を利用し、あるいは、浮遊物質自身に酸素が結合して浮遊物質を多少酸化分解しておくことができる。
上記のようにして、循環径路５０において、浮遊物質の微細化が更に進むと、浮遊物質の有機物は、高分子のものから低分子となり、汚水に溶存し易くなる（図７（ｅ））。汚水に溶存した有機物は、微生物に取り込まれていく。
【００４８】
そして、汚泥投入槽４０，調整槽１０及び循環径路５０で汚水と汚泥Ｗとが充分に混合されて、汚水中の浮遊物質が充分に微細化されたならば、汚泥投入槽４０のポンプ４２を作動させ送給径路４１を介して汚水を曝気槽２０に送給していく。
汚水が曝気槽２０に送給され、ブロア２２により曝気槽２０内に空気が吹き込まれると、有機物は、そのほとんどが低分子のものになって溶存され、微生物に取り込まれているので、主に好気性菌等の比較的小さな微生物は、ブロア２２からの空気を用いるとともに取り込んだ有機物を養分として細胞分裂等により増殖していき、増殖過程で、有機物のほとんどが二酸化炭素と水になっていく。
【００４９】
即ち、従来は、曝気槽２０で曝気槽２０に存在する微生物で有機物である浮遊物質の分解を行なわせているが、これに対し本発明では、曝気槽２０に流入する前に、予め、浮遊物質を微細化することで有機物のほとんどを充分に汚水に溶存させて有機物を微生物が取り込みやすい大きさにし、しかも、汚泥Ｗを汚泥返送径路４５で汚泥投入槽４０に投入して汚水中の有機物の量に対して充分な数の微生物を添加してあるので、曝気槽２０に流入すると、ブロア２２で曝気槽２０に吹き込まれた空気中の酸素により、速やかに分解させられるのである。これにより、汚水中のＢＯＤやＳＳ等の除去，低減が速やかに行なわれ、汚水の浄化処理効率が向上させられる。また、浄化処理効率が高いことから、処理時間の短縮化も図ることができる。
また、微細化しきれないで残った浮遊物質は、ブロア２２で吹き込まれた空気の酸素を用いて分解されて微細化され、その後、上記と同様に二酸化炭素と水とに分解される。そして、曝気槽２０から適時に、送給径路２１を介してオーバーフローにより、沈殿槽３０に汚水を送給する。
【００５０】
沈殿槽３０では、曝気槽２０で分解しきれないで残った浮遊物質や微生物を集合して所謂フロックとし、このフロックを沈殿させる一方、上澄みを河川５等に放流していく。また、沈殿槽３０に沈殿した浮遊物質や微生物は、汚泥Ｗとして汚泥返送径路４５を介して汚泥投入槽４０に送られる。これにより、沈殿槽３０に沈殿した汚泥Ｗは、汚泥返送径路４５を介して曝気槽２０よりも前位の槽に送ることで、曝気槽２０よりも前位の槽に微生物を添加する用に供されるとともに、汚泥Ｗ自体が再び曝気槽２０に流入することになる。そのため、曝気槽２０で分解しきれなくて残った浮遊物質等が再び分解されるので、沈殿槽３０に沈殿したもののうち廃棄されるもののほとんどは、無機物のような微生物で分解できないもののみになり、廃棄される汚泥Ｗの量が非常に少ないものとなる。
【００５１】
次に、本発明の第二の実施の形態に係る汚水の浄化システムを説明する。
図８に示すように、この汚水の浄化システムＳ２は、汚水に多量の浮遊物質が含まれ、汚水のＢＯＤ，ＳＳの値の高いものに用いられる。詳しくは、この汚水の浄化システムＳ２は、上記第一の実施の形態の汚水の浄化システムＳ１と異なり、食品の加工工場１からの汚水が流入し内部にこの汚水を攪拌する汚水攪拌槽７０と、汚水攪拌槽７０の後位に設けられ汚泥返送径路４５ａからの汚泥Ｗと汚水とが混合される一次汚泥投入槽８０と、一次汚泥投入槽８０の後位に設けられる調整槽１０と、調整槽１０の後位に設けられ汚泥返送径路４５からの汚泥Ｗと汚水とが混合される二次汚泥投入槽４０と、二次汚泥投入槽４０の後位側に設けられ調整槽１０側からの汚水に微生物処理を行なう曝気槽２０と、曝気槽２０の後位側に設けられ曝気槽２０で微生物処理された汚水を沈殿処理する沈殿槽３０とを備えてなる。汚水攪拌槽７０，一次汚泥投入槽８０，調整槽１０，二次汚泥投入槽４０及び曝気槽２０の各槽とその後位の槽の間には、槽内の汚水を後位側の槽に送給する送給径路７１，８１，１１，４１，２１が設けられている。
【００５２】
汚水攪拌槽７０は、内部に攪拌フィン７３が設けられ、汚水攪拌槽７０内の汚水を攪拌する。また、汚水攪拌槽７０には、一次汚泥投入槽８０に汚水を送給する送給径路７１に汚水をくみ揚げるポンプ７２が設けられている。
また、汚水攪拌槽７０及び一次汚泥投入槽８０には、汚水攪拌槽７０及び一次汚泥投入槽８０の汚水を循環させる一次循環径路９０が設けられている。一次循環径路９０は、上記の実施の形態に係る汚水の浄化システムＳ１の循環径路５０と略同様に構成され、汚水攪拌槽７０と一次汚泥投入槽８０との間に設けられる送給径路７１と、一次汚泥投入槽８０の汚水を汚水攪拌槽７０に返送する第一汚水返送径路９１とで構成されている。第一汚水返送径路９１には、磁場付与装置６０が設けられている。９２は、第一汚水返送径路９１に汚水をくみ揚げるポンプである。
【００５３】
汚泥返送径路４５は、末端側が分岐（４５ａ）して一次汚泥投入槽８０及び二次汚泥投入槽４０に接続され、沈殿槽３０に沈殿した汚泥Ｗを各投入槽４０，８０に返送できるようになっている。
更に、上記の実施の形態に係る汚水の浄化システムＳ１の循環径路５０と同様の二次循環経路５０が設けられている。二次循環径路５０は、調整槽１０と二次汚泥投入槽４０との間に設けられる送給径路１１と、二次汚泥投入槽４０の汚水を汚水攪拌槽７０に返送する第二汚水返送径路５１とで構成されている。
その他の構成は上記のものと同様である。
【００５４】
この第二の実施の形態に係る汚水の浄化システムＳ１を用いると、食品の加工工場１からの汚水が汚水攪拌槽７０に流れ込む。
この汚水が汚水攪拌槽７０内のポンプ７２でくみ揚げられ送給径路７１を通って一次汚泥投入槽８０に送給される。また、一次汚泥投入槽８０には、汚泥返送径路４５を介して沈殿槽３０で沈殿した汚泥Ｗが流入し、汚泥Ｗが汚水に投入される。そして、上記第一の実施の形態の循環経路５０と同様に、一次循環径路９０によって汚水攪拌槽７０及び一次汚泥投入槽８０間を、汚水が循環させられ、汚水攪拌槽７０の攪拌フィン７３による攪拌等により汚水に汚泥Ｗがよく混合される。
【００５５】
この一次循環径路９０においては、一次汚水返送径路５１である通管６１を通る際に、汚水に磁場付与装置６０からの磁場が付与されていく。
この際、汚水攪拌槽７０に流入する汚水には、非常に多くの浮遊物質が含まれているので、これらが集合して所謂スカムと呼ばれる集合体となることもあるが、攪拌フィン７３を設けてスカムを分散し、有機物がなるべく汚水中にある状態で、この汚水を、汚水攪拌槽７０及び一次汚泥投入槽８０間に循環させるので、浮遊物質の微細化が円滑に行なわれる。
そして、予め、浮遊物質の大きさをある程度小さくした状態で、一次汚泥投入槽８０の汚水を調整槽１０に、オーバーフローにより流入させていく。
この際、調整槽１０よりも前位側の槽において、予め、汚水中の浮遊物質が微細化され、その大きさが小さくなっているので、調整槽１０，二次汚泥投入槽４０及び循環径路５０での浮遊物質の微細化に係る負荷が軽減される。そのため、汚水中の浮遊物質が多量であっても、調整槽１０，二次汚泥投入槽４０及び循環径路５０での有機物の微細化が円滑に行なわれ、浄化処理効率の向上が図られる。
その他の作用，効果は上記第一の実施の形態のものと同様である。
【００５６】
次にまた、第三の実施の形態に係る汚水の浄化システムについて説明する。
図９に示すように、この汚水の浄化システムＳ３は、食品の加工工場１等からの汚水の量が比較的少ない場合に用いられるもので、上記第一の実施の形態の汚水の浄化システムＳ１と同様の調整槽１０と、曝気槽２０と、沈殿槽３０とを備えているが、上記第一の実施の形態の汚水の浄化システムＳ１と異なり、調整槽１０の後位に設けられ沈殿槽３０に沈殿した汚泥Ｗと調整槽１０から流入した汚水とを混合する汚泥投入槽１００と、汚泥投入槽１００と曝気槽２０の間に設けられ汚泥投入槽１００から流入した汚水を攪拌する汚水攪拌槽１１０とを備えてなる。また、この汚水の浄化システムＳ３には、調整槽１０と汚泥投入槽１００との間，汚泥投入槽１００と汚水攪拌槽１１０との間，汚水攪拌槽１１０と曝気槽２０との間及び曝気槽２０と沈殿槽３０との間には、汚水を後位側の槽に送給する送給径路１１，１０１，１１１，２１が設けられ、調整槽１０から後位側の槽に向けて順に汚水を流すことができるようになっている。
【００５７】
曝気槽２０より前位側にある槽である汚泥投入槽１００と汚水攪拌槽１１０との間の送給径路１０１には、これを流れる汚水に磁場を付与する磁場付与装置６０が設けられている。この磁場付与装置６０は、図２乃至図６に示すように、上記のものと同様に、送給径路１０１の一部を構成する通管６１と、通管６１の外側の一つの円周上に設けられ磁場を発生する複数の電磁石６２ａ，６２ｂ，６２ｃ，６２ｄ，６２ｅ，６２ｆからなる磁場発生部６２と、電磁石６２ａ，６２ｂ，６２ｃ，６２ｄ，６２ｅ，６２ｆに電流を流す電源６４とを備えて構成されている。
汚泥投入槽１００には、沈殿槽３０に沈殿した汚泥Ｗを返送する汚泥返送径路１０５が設けられている。
更にまた、汚水攪拌槽１１０には、汚水攪拌槽１１０内の汚水を攪拌する攪拌ポンプ１１２が設けられている。
その他の構成は、上記のものと同様である。
【００５８】
この汚水の浄化システムＳ３を用いると、食品の加工工場１からの汚水が調整槽１０に流れ込み、この汚水が調整槽１０内のポンプ１２でくみ揚げられ送給径路１１を通って汚泥投入槽１００に送給される。また、汚泥投入槽１００には、汚泥返送径路４５を介して沈殿槽３０で沈殿した汚泥Ｗが流入し、汚泥Ｗが汚水に投入される。そして、汚泥投入槽１００の汚水は、オーバーフローにより、汚泥投入槽１００から送給径路１０１を通って汚水攪拌槽１１０に流入する。
この際、磁場付与装置６０がこの送給径路１０１に設けられているので、上記と同様に、磁場により、有機物である浮遊物質は微細化されていく。また、汚泥Ｗ中の酵素あるいは、微生物が新たに合成した酵素及び微生物の捕食等によっても微細化されていく。
【００５９】
汚水攪拌槽１１０においては、攪拌ポンプ１１２で汚水が攪拌されて汚泥Ｗ中の微生物と汚水とがよく混合されて、微生物や酵素により浮遊物質が微細化されて有機物が溶存していき、この溶存した有機物が微生物に取り込まれていく。
その後、この汚水が曝気槽２０に送給される。
【００６０】
曝気槽２０に投入され、ブロア２２により曝気槽２０内に空気が吹き込まれると、有機物は、そのほとんどが低分子のものになって溶存され、微生物に取り込まれているので、曝気槽２０のブロア２２で曝気槽２０中の汚水に空気が供給されると、微生物は取り込んだ有機物を養分として細胞分裂等により増殖していき、増殖過程で、有機物のほとんどが二酸化炭素と水になっていく。
そして、曝気槽２０から適時に、送給径路を介してオーバーフローにより、沈殿槽３０に汚水を送給する。
【００６１】
沈殿槽３０では、浮遊物質や微生物を集合して所謂フロックとし、このフロックを沈殿させる一方、その上澄みを河川５等に放流していく。また、沈殿槽３０に沈殿した浮遊物質や微生物は、汚泥Ｗとして汚泥返送径路４５を介して汚泥投入槽１００に送られる。
その他の作用及び効果は上記のものと同様である。
【図面の簡単な説明】
【００６２】
【図１】本発明の第一の実施の形態に係る汚水の浄化システムを示す図である。
【図２】本発明の第一の実施の形態に係る汚水の浄化システムの磁場付与装置を示す図である。
【図３】本発明の第一の実施の形態に係る汚水の浄化システムの磁場付与装置の図２中Ａ−Ａ線断面を示す図である。
【図４】本発明の第一の実施の形態に係る汚水の浄化システムの磁場付与装置を示す図である。
【図５】本発明の第一の実施の形態に係る汚水の浄化システムの磁場付与装置のシステムを示すブロック図である。
【図６】本発明の第一の実施の形態に係る汚水の浄化システムの電磁石に印可される電圧を示すグラフ図である。
【図７】本発明の第一の実施の形態に係る汚水の浄化システムにおいて、汚水中の有機物の状態を示す図である。
【図８】本発明の第二の実施の形態に係る汚水の浄化システムを示す図である。
【図９】本発明の第三の実施の形態に係る汚水の浄化システムを示す図である。
【図１０】従来の汚水の浄化システムの一例を示す図である。
【符号の説明】
【００６３】
Ｓ１，Ｓ２，Ｓ３  汚水の浄化システム
１０  調整槽
２０  曝気槽
３０  沈殿槽
４０  汚泥投入槽（二次汚泥投入槽）
Ｗ  汚泥
４５  汚泥返送径路
５０  循環径路（一次循環径路）
５１  汚水返送径路（第二汚水返送径路）
５２  ポンプ
５３  飛散機構
６０  磁場付与装置
６１  通管
６２  磁場発生部
６２ａ，６２ｂ，６２ｃ，６２ｄ，６２ｅ，６２ｆ  電磁石
６３  基板
６５  パルス電圧生成手段
６６  順次励磁手段
７０  汚水攪拌槽
８０  一次汚泥投入槽
９０  一次循環径路
１００  汚泥投入槽
１０１  送給径路
【図１】
2007244952.tif 000003
【図２】
2007244952.tif 000004
【図３】
2007244952.tif 000005
【図４】
2007244952.tif 000006
【図５】
2007244952.tif 000007
【図６】
2007244952.tif 000008
【図７】
2007244952.tif 000009
【図８】
2007244952.tif 000010
【図９】
2007244952.tif 000011
【図１０】
2007244952.tif 000012